(57)【要約】【課題】シール材を剥がす際の力が少なくて済み、また構造も簡単なシール材付き容器を提案する。【解決手段】本発明のシール材付き容器は、外縁部が円形をなす口部端面８を有する口部４、及び口部端面８に設けられ内容物を排出する開口９を有する容器本体１と、口部端面８に固着され開口９を封止するシール材１２とを備え、口部４は、口部端面８に揃う端面１１を有するとともに径方向外側に向けて突出する突起１０を少なくとも１つ備える。【選択図】図１
2019131229.tif 000002
【特許請求の範囲】
【請求項１】
外縁部が円形をなす口部端面を有する口部、及び該口部端面に設けられ内容物を排出する開口を有する容器本体と、該口部端面に固着され該開口を封止するシール材とを備えるシール材付き容器であって、
前記口部は、前記口部端面に揃う端面を有するとともに径方向外側に向けて突出する突起を少なくとも１つ備えるシール材付き容器。
【請求項２】
前記シール材は、前記突起に対して径方向外側に突出する摘み部を有する請求項１に記載のシール材付き容器。
【請求項３】
前記シール材は、矩形状をなすとともに、該シール材の隅部が該突起に対して径方向外側に突出する位置で固着されることで前記摘み部を構成するものである請求項２に記載のシール材付き容器。
【請求項４】
前記容器本体は、前記口部に連結する扁平状の胴部を有する請求項１〜３の何れか一項に記載のシール材付き容器。
【請求項５】
前記シール材を覆って前記口部に装着されるキャップを備え、該キャップは、該シール材を剥がして該口部に装着した際は前記開口に通じる吐出口と、該吐出口を閉鎖する蓋体とを備える請求項１〜４の何れか一項に記載のシール材付き容器。
【発明の詳細な説明】
【技術分野】
【０００１】
本発明は、内容物を排出する開口を有する容器本体と、容器本体の口部端面に固着されて開口を封止するシール材とを備えるシール材付き容器に関するものである。
【背景技術】
【０００２】
従来、例えば食品や化粧料、医薬品などの分野においては、容器本体に収容した内容物の品質劣化を防止するために、容器本体の口部端面にシール材を固着することによって口部端面に設けた開口を封止して、容器本体内を気密に維持することが行われている（例えば特許文献１、２参照）。
【先行技術文献】
【特許文献】
【０００３】
【特許文献１】特開２０１０−１７９９４８号公報
【特許文献２】特開２００７−１４５３６３号公報
【発明の概要】
【発明が解決しようとする課題】
【０００４】
ところで、容器本体を気密に維持するには、口部端面に対してシール材をある程度強固に固着させておく必要がある。また、口部端面の外縁部は円形状をなしているため、開口を封止していたシール材を剥がそうとしてこれを引き上げても、その際の力は円形状の外縁部に対して分散して加わることになる。このため、引き剥がしが始まるときには特に強い力を必要としていた。また、容器本体が柔軟性を有する場合は、引き剥がしにあたって容器本体を保持していた手に力が入り、開封と同時に内容物が吹き出ることもあった。
【０００５】
このような問題に対して特許文献２では、同文献の図１〜図４に示されているようなシール材を使用している。このシール材は、口部端面に固着される土台部の中央に第１タブと第２タブが接合されており、第１タブと第２タブを土台部から引き起こして重なるようにして指で摘まみ、そのまま引き上げることによって土台部も引き上げられる結果、口部端面から容易に剥がすことができるとしている。しかし、特許文献２のシール材は構造が複雑であり、これを製造には手間を要することになる。また複雑な構造である故にコストの削減も困難である。
【０００６】
本発明は、このような問題点を解決することを課題とするものであり、シール材を剥がす際の力が少なくて済み、また構造も簡単になるシール材付き容器を提供することを目的とする。
【課題を解決するための手段】
【０００７】
本発明は、外縁部が円形をなす口部端面を有する口部、及び該口部端面に設けられ内容物を排出する開口を有する容器本体と、該口部端面に固着され該開口を封止するシール材とを備えるシール材付き容器であって、
前記口部は、前記口部端面に揃う端面を有するとともに径方向外側に向けて突出する突起を少なくとも１つ備えるシール材付き容器である。
【０００８】
前記シール材は、前記突起に対して径方向外側に突出する摘み部を有することが好ましい。
【０００９】
前記シール材は、矩形状をなすとともに、該シール材の隅部が該突起に対して径方向外側に突出する位置で固着されることで前記摘み部を構成するものであることが好ましい。
【００１０】
前記容器本体は、前記口部に連結する扁平状の胴部を有することが好ましい。
【００１１】
前記シール材を覆って前記口部に装着されるキャップを備え、該キャップは、該シール材を剥がして該口部に装着した際は前記開口に通じる吐出口と、該吐出口を閉鎖する蓋体とを備えることが好ましい。
【発明の効果】
【００１２】
本発明のシール材付き容器は、口部端面に揃う端面を有するとともに径方向外側に向けて突出する突起を少なくとも１つ備えているため、この突起に向かってシール材を引き上げると、引き上げ時の力は突起の外端部に集中することになる。このため、引き上げ時の力が比較的小さくても、シール材を剥がし始めることができる。また、口部に突起を設けるだけなので、構造も簡単で済む。
【００１３】
シール材に、突起に対して径方向外側に突出する摘み部を設ける場合は、指で摘み部が掴みやすくなるため、シール材の引き剥がしが行いやすくなる。また、摘み部が突起の径方向外側に位置していることから、摘み部を掴んで引き上げれば突起に力が加わるため、シール材を引き剥がすにあたって突起の位置を気にする必要がない。
【００１４】
矩形状をなすシール材を使用し、またこのシール材の隅部が突起に対して径方向外側に突出する位置でこれを固着させる場合は、引き剥がし初期時の力が小さくて済むという効果に加え、シール材の形状が簡単になるという利点もある。
【００１５】
容器本体として、口部に連結する扁平状の胴部を有するものを採用する場合は、胴部を周方向に位置決めすれば突起の周方向位置も定まるため、シール材を固着する際に突起とシール材との位置合わせが行いやすくなる。
【００１６】
シール材を覆って口部に装着されるキャップを備え、このキャップに、シール材を剥がして口部に装着した際は開口に通じる吐出口と、吐出口を閉鎖する蓋体とを設ける場合は、シール材を固着させている未使用時においては、キャップによってシール材を保護することができる。また使用にあたってシール材を剥がした後は、キャップを容器本体に装着したまま吐出口から内容物を吐出できるうえ、吐出終了後は蓋体によって吐出口からの外気の侵入を抑制することができる。
【図面の簡単な説明】
【００１７】
【図１】本発明に従うシール材付き容器の一実施形態に関し、その容器本体を示す図であって、（ａ）は平面図、（ｂ）は側面図である。
【図２】図１に示した容器本体にシール材を固着させた状態を示す部分拡大図であって、（ａ）は平面図、（ｂ）は側面図、（ｃ）は斜視図である。
【図３】シール材を固着させた容器本体にキャップを装着した状態を示す側面図（キャップは断面図）である。
【図４】シール材を剥がし始める状態を示す図であって、（ａ）は平面図、（ｂ）は側面図である。
【図５】本発明に従うシール材付き容器の他の実施形態を示す図であって、（ａ）は容器本体の平面図、（ｂ）は（ａ）の容器本体にシール材を固着させた状態での平面図である。
【発明を実施するための形態】
【００１８】
以下、図１を参照して、本発明に従うシール材付き容器の一実施形態について説明する。なお、本明細書等において、「上」方向、「下」方向とは、図１に示すように底部（符号２）に対して口部（符号４）が上方に位置する状態での向きをいう。
【００１９】
図１に示すように容器本体１は、中央部を上方に向けて突出させた底部２と、底部２の外縁部から上方に向かってやや拡径しながら延在し、その後縮径する胴部３と、胴部３から上方に向かって延在する円筒状の口部４とを備えている。ここで胴部３は、平面視において扁平状に形作られている。また口部４には、容器本体１の軸線Ｏを中心に周回するネックリング５と、ネックリング５の上方に位置する雄ねじ部６が設けられている。
【００２０】
更に雄ねじ部６の上方には、雄ねじ部６を設けた部位よりも外径が小さくなる円形状の口部環状部７が設けられている。また、口部４の端面（口部端面）８である口部環状部７の上端面は、平坦に形作られている。そして口部環状部７には、容器本体１の内側に通じる円形状の開口９が設けられている。なお、開口９の形状は任意であって、例えば矩形状や星形状でもよい。
【００２１】
また口部環状部７の外周面には、径方向外側に向かって突出するとともに軸線Ｏに沿って延在する突起１０が設けられている。本実施形態の突起１０は、径方向外側に向かって先細りするように突出していて、平面視において三角形状をなしている。また突起１０は、本実施形態では周方向に等間隔で合計４つ（扁平状になる胴部３の短径側において２つ、長径側に２つ）設けられている。ここで、突起１０の上方における端面１１は、口部端面８に揃うように（端面１１が口部端面８と同一面になるように）設けられている。また突起１０の外周面は、雄ねじ部６を設けた部位での口部４の外周面よりも径方向内側に位置するように形成されている。なお、後述するように口部４にはキャップが装着されるが、突起１０の外周面は、キャップの装着を妨げない範囲で雄ねじ部６を設けた部位での口部４の外周面に対して径方向外側に突出していてもよい。
【００２２】
本実施形態の容器本体１は、薄手の合成樹脂（例えばポリエチレン）で形成されていて、胴部３を押圧することによって、容器本体１に収容した内容物を開口９から排出することができる。なお、容器本体１は単一の合成樹脂で形成してもよいし、複数種類を積層させて形成してもよい。また容器本体１の材質は合成樹脂に限定されるものではなく、ガラス等であってもよい。更に容器本体１の形状も上述したものに限られず、例えば胴部３は円筒状であってもよい。
【００２３】
図２は、図１で示した容器本体１にシール材１２を固着させた状態を示す図である。本実施形態のシール材１２は、矩形状（正方形状）に形成されていて、突起１０を設けた位置にシール材１２の隅部１３が位置するようにして、口部端面８と端面１１に固着されている。ここで隅部１３は、図示のように突起１０に対して径方向外側に突出していて、シール材１２を引き剥がす際には指で掴むことができる。なお、シール材１２の形状は図示したものに限られず、例えば基本形状は円形であって、更に突起１０に対応させてこの円形部分から径方向外側に突出する部分を設けた形状であってもよい。ところで、本実施形態の容器本体１は胴部３が扁平状であるため、シール材１２を固着する工程において、胴部３の外形に倣う装置で容器本体１を保持すると、容器本体１は軸線Ｏまわりに位置決めされることになる。すなわち、突起１０の周方向位置が定まるため、シール材１２を固着する際の突起１０と隅部１３との位置合わせが容易になる。
【００２４】
なお、シール材１２の素材は特に限定されず、アルミニウムフィルムのような金属製のものでもよいし、ポリエチレンテレフタレートフィルムのような合成樹脂製のものでもよい。また、金属製のフィルムと合成樹脂製のフィルムとを積層させたものでもよい。そしてシール材１２を固着させる方法も様々の手法が適用可能であって、高周波加熱等による溶着でもよいし、接着剤等を用いた接着でもよい。
【００２５】
このようにシール材１２を口部端面８に固着させた容器本体１には、図３に示すようにキャップ１４を装着することができる。ここでキャップ１４は、有蓋筒状をなし、中央部に設けた孔（吐出口）１５を取り囲む吐出筒１６を有するとともに、内周面には雄ねじ部６に対応する雌ねじ部１７を有するキャップ本体１８を備えている。またキャップ本体１８には、ヒンジ１９を介して一体に連結するとともに、吐出筒１６を取り囲んでキャップ本体１８に着脱自在に保持される有蓋筒状の蓋体２０が設けられている。蓋体２０の下面には、キャップ本体１８に対して蓋体２０を閉じた際に、吐出筒１６の内周面に当接するシール部２１が設けられている。
【００２６】
このようなシール材付き容器によれば、シール材１２を固着した状態でキャップ１４を容器本体１に装着すると、シール材１２への傷付きを防止することができるため、未使用時における封止状態を確実に維持することができる。
【００２７】
また内容物を吐出させるにあたっては、キャップ１４を容器本体１から取り外し、図４に示すように隅部１３の何れか一つを摘まんで引き上げる。ここで隅部１３は、突起１０よりも径方向外側に位置しているため、簡単に摘まむことができる。またシール材１２は、突起１０を設けた位置に隅部１３が位置するように固着されているため、何れの隅部１３を引き上げても、引き上げ時の力は突起１０の外端部に集中することになる。このため、引き上げ時の力が比較的小さくても、シール材１２を剥がし始めることができる。
【００２８】
シール材１２を剥がした後は、再びキャップ１４を容器本体１に装着する。そして蓋体２０を開いて胴部３を押圧すれば、容器本体１に収容した内容物を、開口９を通して吐出筒１６から吐出することができる。また蓋体２０を閉じれば、シール部２１が吐出筒１６の内周面に当接するため、内容物と外気との接触を抑制することができる。
【００２９】
以上、本発明について具体的な実施形態を示しながら説明したが、本発明に従うシール材付き容器は上述した実施形態に限られるものではなく、特許請求の範囲に従う範疇で種々の変更を加えたものも含まれる。例えば突起１０は少なくとも１つ設けていればよい。なおこの場合は、シール材１２における指で摘まむ部分（摘み部）は突起１０に対応させて設けることが好ましい。また、図５（ａ）に示すように突起１０を多数設ける（図示の例では１２個）場合においては、引き剥がし時の力は隣接する突起１０の何れかに加わることになるため、突起１０に対応させて摘み部を多数設けることなく、図５（ｂ）示したような円形のシール材１２’を使用してもよい。またキャップも上述したものに限られず、例えばキャップ本体と蓋体とが分離していて、キャップ本体に対してねじやアンダーカットで蓋体を保持するものでもよい。またキャップ本体を使用せずに、容器本体の口部に蓋体を直接装着するものでもよい。
【符号の説明】
【００３０】
１：容器本体
２：底部
３：胴部
４：口部
５：ネックリング
６：雄ねじ部
７：口部環状部
８：口部端面
９：開口
１０：突起
１１：端面
１２：シール材
１３：隅部
１４：キャップ
１５：吐出口
１６：吐出筒
１７：雌ねじ部
１８：キャップ本体
１９：ヒンジ
２０：蓋体
２１：シール部
Ｏ：軸線
【図１】
2019131229.tif 000003
【図２】
2019131229.tif 000004
【図３】
2019131229.tif 000005
【図４】
2019131229.tif 000006
【図５】
2019131229.tif 000007